(57)【要約】【課題】防犯に必要な画像を撮像できるとともに、機密情報の漏洩を防止する画像監視装置、画像監視システム、画像監視方法および画像監視プログラムを提供する。【解決手段】監視カメラ１１０は、ネットワークに接続され、暗証番号が入力される入力装置を含む監視領域を撮像し、送受信部１０５は、入力装置での暗証番号の入力の開始を示す開始情報を受信し、監視カメラ制御部１０２は、開始情報を受信した場合に、監視カメラ１１０が撮像を停止するよう制御する。【選択図】        図１
2008083934.tif 000002
【特許請求の範囲】
【請求項１】
ネットワークに接続され、暗証番号が入力される入力装置での暗証番号の入力の開始を示す開始情報を受信する開始情報受信手段と、
前記入力装置を含む監視領域を撮像する撮像手段と、
前記開始情報受信手段によって前記開始情報を受信した場合に、前記撮像手段が撮像を停止するよう制御する撮像制御手段と、
を備えることを特徴とする画像監視装置。
【請求項２】
前記撮像手段によって撮像された画像情報を、ネットワークに接続された監視センタに送信する送信手段、をさらに備えることを特徴とする請求項１に記載の画像監視装置。
【請求項３】
前記入力装置での暗証番号の入力の終了を示す終了情報を受信する終了情報受信手段と、
前記撮像制御手段は、前記終了情報受信手段によって前記終了情報を受信した場合に、前記撮像手段が撮像を開始するよう制御すること、を特徴とする請求項１または請求項２に記載の画像監視装置。
【請求項４】
前記入力装置での暗証番号の誤入力を示す誤入力情報を受信する誤入力情報受信手段と、
前記撮像制御手段は、前記誤入力情報受信手段によって前記誤入力情報を受信した場合に、前記撮像手段が撮像を開始するよう制御すること、を特徴とする請求項１〜３のいずれか一つに記載の画像監視装置。
【請求項５】
前記撮像手段を目視不可とするように遮蔽、または、前記撮像手段による撮像可能とするように開放する遮蔽手段と、
前記開始情報受信手段によって前記開始情報を受信した場合に、前記遮蔽手段によって前記撮像手段を遮蔽するよう制御する遮蔽制御手段と、をさらに備えることを特徴とする請求項１〜４のいずれか一つに記載の画像監視装置。
【請求項６】
前記遮蔽手段は、前記撮像手段の少なくともレンズ部を遮蔽すること、を特徴とする請求項５に記載の画像監視装置。
【請求項７】
操作手段から入力された暗証番号を取得する暗証番号取得手段と、
前記操作手段を含む監視領域を撮像する撮像手段と、
前記暗証番号取得手段によって前記暗証番号の入力の開始を検知した場合に、前記撮像手段が撮像を停止するよう制御する撮像制御手段と、
を備えることを特徴とする画像監視装置。
【請求項８】
画像監視装置と暗証番号認証装置とが接続されている画像監視システムにおいて、
前記暗証番号認証装置は、
暗証番号を取得する暗証番号取得手段と、
前記暗証番号取得手段によって前記暗証番号の入力の開始を検知する暗証番号入力検知手段と、
前記暗証番号入力検知手段によって暗証番号の入力の開始が検知された場合に、暗証番号の入力の開始を示す開始情報を前記画像監視装置に送信する開始情報送信手段と、
前記画像監視装置は、
前記暗証番号認証装置から送信された前記開始情報を受信する開始情報受信手段と、
前記暗証番号認証装置を含む監視領域を撮像する撮像手段と、
前記開始情報受信手段によって前記開始情報を受信した場合に、前記撮像手段が撮像を停止するよう制御する撮像制御手段と、
を備えることを特徴とする画像監視システム。
【請求項９】
前記暗証番号認証装置は、現金の支払いを受けるために暗証番号による認証を行う現金自動預け払い機であること、を特徴とする請求項８に記載の画像監視システム。
【請求項１０】
前記暗証番号認証装置は、所定の領域に進入するために暗証番号による認証を行う入場管理装置であること、を特徴とする請求項８に記載の画像監視システム。
【請求項１１】
ネットワークに接続され、暗証番号が入力される入力装置での暗証番号の入力の開始を示す開始情報を受信する開始情報受信ステップと、
前記開始情報受信ステップによって前記開始情報を受信した場合に、前記入力装置を含む監視領域を撮像する撮像手段が撮像を停止するよう制御する撮像制御ステップと、
を有することを特徴とする画像監視方法。
【請求項１２】
画像監視装置と暗証番号認証装置とが接続されている画像監視システムの画像監視方法において、
暗証番号を取得する暗証番号取得ステップと、
前記暗証番号取得ステップによって前記暗証番号の入力の開始を検知する暗証番号入力検知ステップと、
前記暗証番号入力検知ステップによって暗証番号の入力の開始が検知された場合に、暗証番号の入力の開始を示す開始情報を前記画像監視装置に送信する開始情報送信ステップと、
前記暗証番号認証装置から送信された前記開始情報を受信する開始情報受信ステップと、
前記開始情報受信ステップによって前記開始情報を受信した場合に、前記暗証番号認証装置を含む監視領域を撮像する撮像手段が撮像を停止するよう制御する撮像制御ステップと、
を有することを特徴とする画像監視方法。
【請求項１３】
操作手段から入力された暗証番号を取得する暗証番号取得ステップと、
前記暗証番号取得ステップによって前記暗証番号の入力の開始を検知した場合に、前記操作部を含む監視領域を撮像する撮像手段が撮像を停止するよう制御する撮像制御ステップと、
を有することを特徴とする画像監視方法。
【請求項１４】
請求項１１〜１３のいずれか一つに記載された画像監視方法をコンピュータに実行させることを特徴とする画像監視プログラム。
【発明の詳細な説明】
【技術分野】
【０００１】
本発明は、画像監視装置、画像監視システム、画像監視方法および画像監視プログラムに関するものであり、特に機密情報の漏洩防止に関する。
【背景技術】
【０００２】
従来、コンビニエンスストアや銀行に設置された現金自動預け払い機（ＡＴＭ：Automated Teller Machine）には、防犯のため監視カメラが設置されていることは一般に知られている。このような監視カメラは、通常ＡＴＭの上部あるいは斜め上方に操作者のほぼ正面の画像を撮像するように配置されている。このため、撮像された画像では、操作者が行った操作や現金や所持品の置き忘れ等を確認することができないという問題があった。
【０００３】
このような問題を解決するものとして、複数の視野を撮像できるＡＴＭ監視カメラが開示されている（特許文献１参照）。かかる装置では、複数視野合成プリズムを用いて、操作者の顔と手元を合成して撮像することができる。
【０００４】
【特許文献１】特開２００４−３３６３９６号公報
【発明の開示】
【発明が解決しようとする課題】
【０００５】
しかしながら、上記特許文献１に記載された技術では、暗証番号を入力する際も手元の画像が撮像されることになり、撮像された画像を見た他者や、送信されている画像情報を傍受した他者等に利用者の機密情報が漏洩してしまう危険があるという問題があった。
【０００６】
本発明は、上記に鑑みてなされたものであって、防犯に必要な画像を撮像できるとともに、機密情報の漏洩を防止する画像監視装置、画像監視システム、画像監視方法および画像監視プログラムを提供することを目的とする。
【課題を解決するための手段】
【０００７】
上述した課題を解決し、目的を達成するために、請求項１にかかる発明は、ネットワークに接続され、暗証番号が入力される入力装置での暗証番号の入力の開始を示す開始情報を受信する開始情報受信手段と、前記入力装置を含む監視領域を撮像する撮像手段と、前記開始情報受信手段によって前記開始情報を受信した場合に、前記撮像手段が撮像を停止するよう制御する撮像制御手段と、を備えることを特徴とする。
【０００８】
また、請求項２にかかる発明は、請求項１に記載の画像監視装置において、前記撮像手段によって撮像された画像情報を、ネットワークに接続された監視センタに送信する送信手段、をさらに備えることを特徴とする。
【０００９】
また、請求項３にかかる発明は、請求項１または請求項２に記載の画像監視装置において、前記入力装置での暗証番号の入力の終了を示す終了情報を受信する終了情報受信手段と、前記撮像制御手段は、前記終了情報受信手段によって前記終了情報を受信した場合に、前記撮像手段が撮像を開始するよう制御すること、を特徴とする。
【００１０】
また、請求項４にかかる発明は、請求項１〜３のいずれか一つに記載の画像監視装置において、前記入力装置での暗証番号の誤入力を示す誤入力情報を受信する誤入力情報受信手段と、前記撮像制御手段は、前記誤入力情報受信手段によって前記誤入力情報を受信した場合に、前記撮像手段が撮像を開始するよう制御すること、を特徴とする。
【００１１】
また、請求項５にかかる発明は、請求項１〜４のいずれか一つに記載の画像監視装置において、前記撮像手段を目視不可とするように遮蔽、または、前記撮像手段による撮像可能とするように開放する遮蔽手段と、前記開始情報受信手段によって前記開始情報を受信した場合に、前記遮蔽手段によって前記撮像手段を遮蔽するよう制御する遮蔽制御手段と、をさらに備えることを特徴とする。
【００１２】
また、請求項６にかかる発明は、請求項５に記載の画像監視装置において、前記遮蔽手段は、前記撮像手段の少なくともレンズ部を遮蔽すること、を特徴とする。
【００１３】
また、請求項７にかかる発明は、操作手段から入力された暗証番号を取得する暗証番号取得手段と、前記操作手段を含む監視領域を撮像する撮像手段と、前記暗証番号取得手段によって前記暗証番号の入力の開始を検知した場合に、前記撮像手段が撮像を停止するよう制御する撮像制御手段と、を備えることを特徴とする。
【００１４】
また、請求項８にかかる発明は、画像監視装置と暗証番号認証装置とが接続されている画像監視システムにおいて、前記暗証番号認証装置は、暗証番号を取得する暗証番号取得手段と、前記暗証番号取得手段によって前記暗証番号の入力の開始を検知する暗証番号入力検知手段と、前記暗証番号入力検知手段によって暗証番号の入力の開始が検知された場合に、暗証番号の入力の開始を示す開始情報を前記画像監視装置に送信する開始情報送信手段と、前記画像監視装置は、前記暗証番号認証装置から送信された前記開始情報を受信する開始情報受信手段と、前記暗証番号認証装置を含む監視領域を撮像する撮像手段と、前記開始情報受信手段によって前記開始情報を受信した場合に、前記撮像手段が撮像を停止するよう制御する撮像制御手段と、を備えることを特徴とする。
【００１５】
また、請求項９にかかる発明は、請求項８に記載の画像監視システムにおいて、前記暗証番号認証装置は、現金の支払いを受けるために暗証番号による認証を行う現金自動預け払い機であること、を特徴とする。
【００１６】
また、請求項１０にかかる発明は、請求項８に記載の画像監視システムにおいて、前記暗証番号認証装置は、所定の領域に進入するために暗証番号による認証を行う入場管理装置であること、を特徴とする。
【００１７】
また、請求項１１にかかる発明は、ネットワークに接続され、暗証番号が入力される入力装置での暗証番号の入力の開始を示す開始情報を受信する開始情報受信ステップと、前記開始情報受信ステップによって前記開始情報を受信した場合に、前記入力装置を含む監視領域を撮像する撮像手段が撮像を停止するよう制御する撮像制御ステップと、を有することを特徴とする。
【００１８】
また、請求項１２にかかる発明は、画像監視装置と暗証番号認証装置とが接続されている画像監視システムの画像監視方法において、暗証番号を取得する暗証番号取得ステップと、前記暗証番号取得ステップによって前記暗証番号の入力の開始を検知する暗証番号入力検知ステップと、前記暗証番号入力検知ステップによって暗証番号の入力の開始が検知された場合に、暗証番号の入力の開始を示す開始情報を前記画像監視装置に送信する開始情報送信ステップと、前記暗証番号認証装置から送信された前記開始情報を受信する開始情報受信ステップと、前記開始情報受信ステップによって前記開始情報を受信した場合に、前記暗証番号認証装置を含む監視領域を撮像する撮像手段が撮像を停止するよう制御する撮像制御ステップと、を有することを特徴とする。
【００１９】
また、請求項１３にかかる発明は、操作手段から入力された暗証番号を取得する暗証番号取得ステップと、前記暗証番号取得ステップによって前記暗証番号の入力の開始を検知した場合に、前記操作部を含む監視領域を撮像する撮像手段が撮像を停止するよう制御する撮像制御ステップと、を有することを特徴とする。
【００２０】
また、請求項１４にかかる発明は、請求項１１〜１３のいずれか一つに記載された画像監視方法をコンピュータに実行させることを特徴とする。
【発明の効果】
【００２１】
本発明によれば、暗証番号の入力が開始された場合に、撮像手段による監視領域の撮像が停止されるため、暗証番号等の機密情報が撮像されることがなく、機密情報の漏洩を防止することができるという効果を奏する。また、暗証番号を入力する前後においては、撮像手段による監視領域の撮影が行われるため、防犯性を損ねることなく機密情報の漏洩を防止することができるという効果を奏する。
【発明を実施するための最良の形態】
【００２２】
以下に添付図面を参照して、本発明にかかる画像監視装置、画像監視システム、画像監視方法および画像監視プログラムの最良な実施の形態を詳細に説明する。なお、本発明はこれらの実施の形態に限定されるものではない。
【００２３】
（第１の実施の形態）
第１の実施の形態について、添付図面を参照して説明する。第１の実施の形態にかかる画像監視システムは、ＡＴＭでの暗証番号の入力が開始された場合に、監視カメラの撮像を停止し、暗証番号の入力が終了した場合は、監視カメラの撮像を開始する。
【００２４】
まず、本発明が適用される画像監視システムの構成例について説明する。図１は、第１の実施の形態にかかる画像監視システムの構成を示すブロック図である。
【００２５】
本実施の形態にかかる画像監視システム１０は、画像監視装置１００と、ＡＴＭ２００とを備え、画像監視装置１００とＡＴＭ２００とは、ＬＡＮ等のネットワークを介して接続されている。なお、画像監視装置１００と監視センタ４００とは、電話回線、無線ネットワーク、インターネット等のネットワーク５００を介して接続されている。ＡＴＭ２００は、専用線等のネットワークを介してホストコンピュータ３００に接続されている。
【００２６】
画像監視装置１００は、さらに監視カメラ１１０と、レンズ遮蔽部１２０と、画像情報取得部１０１と、監視カメラ制御部１０２と、遮蔽制御部１０３と、画像情報記憶部１０４と、送受信部１０５とを備えている。
【００２７】
監視カメラ１１０は、監視領域を撮像する。ここで、監視領域とは、ＡＴＭ２００の操作表示部２１０を含む領域であり、監視領域を撮像した画像によって利用者のＡＴＭ２００に対する操作、利用者の顔や体型、および利用者の動作等を確認することができる。
【００２８】
レンズ遮蔽部１２０は、監視カメラ１１０のレンズ部分を利用者の目視不可なように遮蔽、または監視カメラ１１０による撮像が可能なように開放する。これにより、レンズ遮蔽部１２０は、監視カメラ１１０が撮像を停止している際には、監視カメラ１１０のレンズ部分を遮蔽して利用者に対して画像を撮像していないことを明示する。なお、レンズ遮蔽部１２０は、監視カメラ１１０のレンズ部分に設置し、かつ、監視カメラ１１０全体を部材で覆うようにしてもよい。
【００２９】
画像情報取得部１０１は、監視カメラ１１０によって撮像された画像情報を取得する。監視カメラ制御部１０２は、ＡＴＭ２００から送信された暗証番号の入力の開始信号または終了信号に応じて、監視カメラ１１０の撮像の開始または停止を制御する。遮蔽制御部１０３は、ＡＴＭ２００から送信された暗証番号の入力の開始信号または終了信号に応じて、レンズ遮蔽部１２０の開放または遮蔽を制御する。
【００３０】
画像情報記憶部１０４は、画像情報取得部１０１によって取得された画像情報を記憶する。送受信部１０５は、画像情報取得部１０１によって取得された画像情報を監視センタ４００に送信する。なお、監視センタ４００では、画像監視装置１００から送信された画像情報がモニタ等で表示される。
【００３１】
ＡＴＭ２００は、操作表示部２１０と、カード挿入部２２０と、操作表示制御部２０１と、カード情報取得部２０２と、暗証番号入力検知部２０３と、送受信部２０４とを備えている。
【００３２】
操作表示部２１０は、利用者によるＡＴＭ２００に対する操作が入力され、利用者に対するメッセージの表示を行う。例えば、操作表示部２１０は、液晶タッチパネルやテンキー等である。操作表示制御部２０１は、操作表示部２１０によって入力された操作を受付け、操作表示部２１０へのメッセージや画面の表示を制御する。
【００３３】
暗証番号入力検知部２０３は、操作表示部２１０からの暗証番号の入力の開始または終了を検知する。カード挿入部２２０は、利用者によってキャッシュカード等のカードが挿入される。カード情報取得部２０２は、カード挿入部２２０に挿入されたカードからカード情報を取得する。
【００３４】
送受信部２０４は、暗証番号入力検知部２０３によって暗証番号の入力の開始が検知された場合に、開始信号を画像監視装置１００に送信する。また、送受信部２０４は、暗証番号入力検知部２０３によって暗証番号の入力の終了が検知された場合は終了信号を、暗証番号の誤入力が検知された場合は誤入力信号を画像監視装置１００に送信する。
【００３５】
また、送受信部２０４は、カード情報取得部２０２によって読取られたカード情報や操作表示制御部２０１によって受付けられた暗証番号等をホストコンピュータ３００に送信する。なお、ホストコンピュータ３００は、ＡＴＭ２００から送信された識別情報や入力情報をマスタファイル等との照合や各種処理を行い、その結果をＡＴＭ２００に送信する。
【００３６】
次に、上述したように構成されている画像監視システム１０による画像監視処理について説明する。まず、ＡＴＭ２００による暗証番号入力検出処理について説明する。図２は、操作表示制御部、暗証番号入力検知部、カード情報取得部、送受信部が行う暗証番号検出処理手順を示すフローチャートである。
【００３７】
操作表示制御部２０１は、操作表示部２１０に取引選択画面を表示するよう制御する（ステップＳ２０１）。図３は、操作表示部に表示された取引選択画面の一例を示す説明図である。ここで、画像監視装置１００の監視カメラ１１０は、図３に示すよう取引選択画面を含む監視領域を撮像している。操作表示制御部２０１は、取引内容を受付ける（ステップＳ２０２）。例えば、操作表示部２１０から選択された取引内容“お引き出し”を受付ける。
【００３８】
カード情報取得部２０２は、カード挿入部２２０に挿入されたカードからカード情報を取得する（ステップＳ２０３）。暗証番号入力検知部２０３は、暗証番号の入力が必要な取引内容であるか否かを判断する（ステップＳ２０４）。例えば、取引内容ごとに暗証番号の入力が必要であるか否かを記憶部に記憶し、選択された取引内容が暗証番号の入力が必要か否かを判断してもよい。暗証番号の入力が必要な取引内容であると判断した場合は（ステップＳ２０４：Ｙｅｓ）、送受信部２０４は暗証番号入力開始信号を画像監視装置１００に送信する（ステップＳ２０５）。暗証番号の入力が必要な取引内容でないと判断した場合は（ステップＳ２０４：Ｎｏ）、ステップＳ２１１に進む。
【００３９】
操作表示制御部２０１は、操作表示部２１０の操作画面を暗証番号入力画面に切替える（ステップＳ２０６）。図４は、操作表示部に表示された暗証番号入力画面の一例を示す説明図である。なお、図４に示すような暗証番号入力画面を含む監視領域の画像は、監視カメラ１１０の撮像が停止されているため、撮像されず、画像情報の画像情報記憶部への格納も監視センタ４００への送信もされない。操作表示制御部２０１は、操作表示部２１０の操作画面から入力された暗証番号の入力を受付ける（ステップＳ２０７）。操作表示制御部２０１は、暗証番号の入力が完了したか否かを判断する（ステップＳ２０８）。暗証番号の入力が完了したと判断した場合は（ステップＳ２０８：Ｙｅｓ）、暗証番号の照合に成功したか否かを判断する（ステップＳ２０９）。具体的には、ホストコンピュータ３００に対して暗証番号の照合を行う。
【００４０】
暗証番号の照合に成功したと判断した場合は（ステップＳ２０９：Ｙｅｓ）、送受信部２０４は暗証番号入力終了信号を画像監視装置１００に送信し（ステップＳ２１０）、操作表示制御部２０１は操作画面を所定の画面に切替える（ステップＳ２１１）。また、ステップＳ２０９において、暗証番号の照合に成功していないと判断した場合は（ステップＳ２０９：Ｎｏ）、送受信部２０４は暗証番号誤入力信号を画像監視装置１００に送信し（ステップＳ２１２）、ステップＳ２１１に進む。
【００４１】
ステップＳ２０８において、暗証番号の入力が完了していないと判断した場合は（ステップＳ２０８：Ｎｏ）、操作表示制御部２０１は取消入力があるか否かを判断する（ステップＳ２１３）。取消入力があると判断した場合は（ステップＳ２１３：Ｙｅｓ）、送受信部２０４は暗証番号入力終了信号を画像監視装置１００に送信し（ステップＳ２１４）、ステップＳ２１１に進む。取消入力がないと判断した場合は（ステップＳ２１３：Ｎｏ）、ステップＳ２０８に戻る。
【００４２】
次に、画像監視装置１００による画像撮像制御処理について説明する。図５は、画像情報取得部、監視カメラ制御部、遮蔽制御部、送受信部が行う画像撮像制御処理手順を示すフローチャートである。
【００４３】
まず、画像情報取得部１０１は、監視カメラ１１０が撮像した画像情報を取得する（ステップＳ５０１）。画像情報取得部１０１は、取得した画像情報を画像情報記憶部１０４に格納する（ステップＳ５０２）。なお、この時、画像情報を画像情報記憶部１０４に記憶することに加え、または代えて送受信部１０５が監視センタ４００に取得した画像情報を送信してもよい。監視カメラ制御部１０２は、ＡＴＭ２００から暗証番号入力開始信号を受信したか否かを判断する（ステップＳ５０３）。ＡＴＭ２００から暗証番号入力開始信号を受信していないと判断した場合は（ステップＳ５０３：Ｎｏ）、ステップＳ５０１に戻り、次の画像情報を取得する。
【００４４】
ＡＴＭ２００から暗証番号入力開始信号を受信したと判断した場合は（ステップＳ５０３：Ｙｅｓ）、遮蔽制御部１０３はレンズ遮蔽部１２０に遮蔽信号を送信する（ステップＳ５０４）。このように、暗証番号の入力が開始された場合には、監視カメラ１１０のレンズ部を遮蔽することにより、暗証番号を撮像していないことを利用者が目視で確認することができる。
【００４５】
次に、監視カメラ制御部１０２は、監視カメラ１１０に撮像停止信号を送信する（ステップＳ５０５）。これにより、監視カメラ１１０は、監視領域を撮像することを停止するため、暗証番号の入力操作を画像情報として画像監視装置１００内に取り込まれることがなく、画像情報が送信される際に傍受されても機密情報の漏洩を防止することができる。
【００４６】
監視カメラ制御部１０２は、ＡＴＭ２００から暗証番号入力終了信号または暗証番号誤入力信号を受信したか否かを判断する（ステップＳ５０６）。ＡＴＭ２００から暗証番号入力終了信号または暗証番号誤入力信号を受信していないと判断した場合は（ステップＳ５０６：Ｎｏ）、ステップＳ５０６に戻り、判断を繰り返す。ＡＴＭ２００から暗証番号入力終了信号または暗証番号誤入力信号を受信したと判断した場合は（ステップＳ５０６：Ｙｅｓ）、遮蔽制御部１０３はレンズ遮蔽部１２０に開放信号を送信する（ステップＳ５０７）。監視カメラ制御部１０２は、監視カメラ１１０に撮像開始信号を送信し（ステップＳ５０８）、ステップＳ５０１に戻る。このように、ＡＴＭ２００での暗証番号の入力が終了した場合には、監視領域の撮像が再開されるため、利用者の操作や行動を監視することができ、防犯性を高めることができる。また、ＡＴＭ２００で暗証番号を誤入力された場合は、監視領域の撮像が開始され、カードを不正に使用している可能性がある操作者を撮像することができるため、防犯性を損ねることがない。
【００４７】
このように、暗証番号を入力する時にのみ、監視カメラの撮像を停止することによって、機密情報の漏洩を防ぐことができるとともに、防犯性を高めることができる。また、監視カメラのレンズ部またはカメラ全体を遮蔽することによって、監視カメラが利用者から目視されないため、暗証番号が撮像されていないことが利用者に明示され、利用者の安心感が向上する。
【００４８】
（第２の実施の形態）
第２の実施の形態について、添付図面を参照して説明する。第２の実施の形態にかかる画像監視装置は、警備領域の出入口に設定された操作部で暗証番号の入力が開始された場合に、監視カメラの撮像を停止し、暗証番号の入力が終了した場合は、監視カメラの撮像を開始する。
【００４９】
本発明が適用される画像監視装置の構成例について、第１の実施の形態と異なる部分を説明する。他の部分については第１の実施の形態と同様であるので、上述した説明を参照し、ここでの説明を省略する。図６は、第２の実施の形態にかかる画像監視装置の構成を示すブロック図である。
【００５０】
本実施の形態の画像監視システム２０は、画像監視装置６００と、監視センタ４００とを備え、画像監視装置６００は、ネットワーク５００を介して監視センタ４００を接続している。
【００５１】
本実施の形態の画像監視装置６００は、さらに監視カメラ１１０と、レンズ遮蔽部１２０と、操作表示部６３０と、出入口扉部６４０と、画像情報取得部１０１と、監視カメラ制御部１０２と、遮蔽制御部１０３と、画像情報記憶部１０４と、送受信部１０５と、操作表示制御部６０６と、扉開閉制御部６０７と、照合部６０８と、照合情報データベース６５０とを備えている。
【００５２】
ここで、監視カメラ１１０と、レンズ遮蔽部１２０と、画像情報取得部１０１と、監視カメラ制御部１０２と、遮蔽制御部１０３と、画像情報記憶部１０４と、送受信部１０５の構成、機能は、第１の実施の形態と同様であるので、説明を省略する。
【００５３】
操作表示部６３０は、警備領域の出入口扉部６４０付近に設置され、利用者によって警備領域内に入場するための暗証番号が入力されるとともに、メッセージが出力される。出入口扉部６４０は、警備領域内への入場を規制するために扉開閉制御部６０７によって扉の錠が制御され、施錠および解錠される。
【００５４】
操作表示制御部６０６は、操作表示部６３０からの暗証番号の入力の開始および入力の完了を検知する。また、操作表示制御部６０６は、操作表示部６３０から入力される暗証番号を受付けるともに、操作表示部６３０へのメッセージの出力等を制御する。
【００５５】
扉開閉制御部６０７は、操作表示制御部６０６によって検知された暗証番号の入力の開始または入力の完了に応じて、出入口扉部６４０の施錠および解錠を制御する。照合部６０８は、操作表示制御部６０６によって受付けられた暗証番号を、照合情報データベース６５０に格納された照合情報と照合する。
【００５６】
照合情報データベース６５０は、操作表示部６３０から入力された暗証番号を総合するための照合情報を格納する。図７は、照合情報データベースのデータ構成の一例を示す説明図である。照合情報データベース６５０は、警備領域に入場を認められる照合情報、例えば暗証番号が格納されている。
【００５７】
次に、上述したように構成されている画像監視システム２０による画像監視制御処理について説明する。図８は、画像情報取得部、監視カメラ制御部、遮蔽制御部、送受信部、操作表示制御部、扉開閉制御部、照合部が行う画像監視制御処理手順を示すフローチャートである。
【００５８】
まず、画像情報取得部１０１は、監視カメラ１１０が撮像した画像情報を取得する（ステップＳ８０１）。画像情報取得部１０１は、取得した画像情報を画像情報記憶部１０４に格納する（ステップＳ８０２）。なお、この時、画像情報を画像情報記憶部１０４に記憶することに加え、または代えて、送受信部１０５が監視センタ４００に取得した画像情報を送信してもよい。操作表示制御部６０６は、暗証番号の入力が開始されたか否かを判断する（ステップＳ８０３）。暗証番号の入力が開始されていないと判断した場合は（ステップＳ８０３：Ｎｏ）、ステップＳ８０１に戻り、次の画像情報を取得する。
【００５９】
暗証番号の入力が開始されたと判断した場合は（ステップＳ８０３：Ｙｅｓ）、遮蔽制御部１０３はレンズ遮蔽部１２０に遮蔽信号を送信する（ステップＳ８０４）。このように、暗証番号の入力が開始された場合には、監視カメラ１１０のレンズ部を遮蔽することにより、暗証番号を撮像していないことを利用者が目視で確認することができる。
【００６０】
次に、監視カメラ制御部１０２は、監視カメラ１１０に撮像停止信号を送信する（ステップＳ８０５）。これにより、監視カメラ１１０は、監視領域を撮像することを停止するため、暗証番号の入力操作を画像情報として画像監視装置６００内に取り込まれることがなく、画像情報が盗まれたり、傍受されたりしても暗証番号を撮像した画像情報自体が存在しないため、機密情報の漏洩を防止することができる。
【００６１】
操作表示制御部６０６は、暗証番号の入力が完了したか否かを判断する（ステップＳ８０６）。暗証番号の入力が完了していないと判断した場合は（ステップＳ８０６：Ｎｏ）、ステップＳ８０６に戻る。暗証番号の入力が完了したと判断した場合は（ステップＳ８０６：Ｙｅｓ）、照合部６０８は暗証番号の照合が成功したか否かを判断する（ステップＳ８０７）。暗証番号の照合が成功したと判断した場合に（ステップＳ８０７：Ｙｅｓ）、扉開閉制御部６０７は出入口扉部６４０を解錠するよう制御する（ステップＳ８０８）。暗証番号の照合が成功していないと判断した場合は（ステップＳ８０７：Ｎｏ）、操作表示制御部６０６は操作表示部６３０に暗証番号の照合が成功しなかった旨のエラーを表示する（ステップＳ８０９）。
【００６２】
遮蔽制御部１０３は、レンズ遮蔽部１２０に開放信号を送信する（ステップＳ８１０）。監視カメラ制御部１０２は、監視カメラ１１０に撮像開始信号を送信する（ステップＳ８１１）。
【００６３】
このように、警備領域の出入口扉付近の操作表示部で暗証番号を入力する時にのみ、監視カメラの撮像を停止することによって、機密情報の漏洩を防ぐことができるとともに、それ以外の時には、監視領域が撮像されているため、防犯性を高めることができる。また、監視カメラのレンズ部またはカメラ全体を遮蔽することによって、監視カメラが利用者から目視されないため、暗証番号が撮像されていないことが利用者に明示され、利用者の安心感が向上する。
【００６４】
以上、本発明を第１および第２の実施の形態を用いて説明してきたが、上述した実施の形態に多様な変更または改良を加えることができる。なお、上述した第１の実施の形態、第２の実施の形態において説明した構成や機能は、自由に組み合わせることができる。
【００６５】
また、本実施の形態の画像監視装置１００、６００は、ＣＰＵ（Central Processing Unit）などの制御装置と、ＲＯＭ（Read Only Memory）やＲＡＭ（Random Access Memory）などの記憶装置と、ＨＤＤ（Hard Disk Drive）、ＣＤ（Compact Disk）ドライブ装置などの外部記憶装置と、ディスプレイ装置などの表示装置と、キーボードやマウスなどの入力装置を備えており、通常のコンピュータを利用したハードウェア構成となっている。
【００６６】
なお、照合情報データベース６５０は、ＨＤＤ、光ディスク、メモリカードなどの一般的に利用されているあらゆる記憶媒体により構成することができる。
【００６７】
また、本実施の形態の画像監視装置１００、６００で実行される画像監視制御プログラムを、インターネット等のネットワークに接続されたコンピュータ上に格納し、ネットワーク経由でダウンロードさせることにより提供するように構成してもよい。また、本実施の形態の画像監視装置１００、６００で実行される画像監視制御プログラムをインターネット等のネットワーク経由で提供または配布するように構成してもよい。
【００６８】
また、本実施の形態の画像監視制御プログラムを、ＲＯＭ等に予め組み込んで提供するように構成してもよい。
【００６９】
本実施の形態の画像監視装置１００、６００で実行される画像監視制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００７０】
本実施の形態の画像監視装置１００、６００で実行される画像監視制御プログラムは、上述した各部（画像情報取得部、監視カメラ制御部、遮蔽制御部、送受信部、操作表示制御部、扉開閉制御部、照合部等）を含むモジュール構成となっており、実際のハードウェアとしてはＣＰＵ（プロセッサ）が上記記憶媒体から画像監視制御プログラムを読み出して実行することにより上記各部が主記憶装置上にロードされ、画像情報取得部、監視カメラ制御部、遮蔽制御部、送受信部、操作表示制御部、扉開閉制御部、照合部等が主記憶装置上に生成されるようになっている。
【図面の簡単な説明】
【００７１】
【図１】第１の実施の形態にかかる画像監視システムの構成を示すブロック図である。
【図２】操作表示制御部、暗証番号入力検知部、カード情報取得部、送受信部が行う暗証番号検出処理手順を示すフローチャートである。
【図３】操作表示部に表示された取引選択画面の一例を示す説明図である。
【図４】操作表示部に表示された暗証番号入力画面の一例を示す説明図である。
【図５】画像情報取得部、監視カメラ制御部、遮蔽制御部、送受信部が行う画像撮像制御処理手順を示すフローチャートである。
【図６】第２の実施の形態にかかる画像監視装置の構成を示すブロック図である。
【図７】照合情報データベースのデータ構成の一例を示す説明図である。
【図８】画像情報取得部、監視カメラ制御部、遮蔽制御部、送受信部、操作表示制御部、扉開閉制御部、照合部が行う画像監視制御処理手順を示すフローチャートである。
【符号の説明】
【００７２】
１０  ２０  画像監視システム
１００  ６００  画像監視装置
１０１  画像情報取得部
１０２  監視カメラ制御部
１０３  遮蔽制御部
１０４  画像情報記憶部
１０５  送受信部
１１０  監視カメラ
１２０  レンズ遮蔽部
６０６  操作表示制御部
６０７  扉開閉制御部
６０８  照合部
６３０  操作表示部
６４０  出入口扉部
６５０  照合情報データベース
２００  現金自動預け払い機（ＡＴＭ）
２０１  操作表示制御部
２０２  カード情報取得部
２０３  暗証番号入力検知部
２０４  送受信部
２１０  操作表示部
２２０  カード挿入部
３００  ホストコンピュータ
４００  監視センタ
５００  ネットワーク
【図１】
2008083934.tif 000003
【図２】
2008083934.tif 000004
【図３】
2008083934.tif 000005
【図４】
2008083934.tif 000006
【図５】
2008083934.tif 000007
【図６】
2008083934.tif 000008
【図７】
2008083934.tif 000009
【図８】
2008083934.tif 000010